(57)【特許請求の範囲】
【請求項１】
硬質樹脂製のホイール部と、このホイール部の外周にホイール部とは別体に形成された硬質樹脂製のタイヤ本体部とが、タイヤ本体部の表面を覆うカバー部を形成する軟質樹脂製の緩衝材を介して接合一体化された車輪であって、上記緩衝材はホイール部外周面とタイヤ本体部内周面の間に形成される円周方向に沿う全空間に充填され、ホイール部およびタイヤ本体部に熱融着していることを特徴とする電気掃除機用車輪。
【請求項２】
硬質樹脂製のホイール部と、このホイール部の外周にホイール部とは別体に形成された硬質樹脂製のタイヤ本体部とが、タイヤ本体部の表面を覆うカバー部を形成する軟質樹脂製の緩衝材を介して接合一体化された車輪であって、ホイール部外周面とタイヤ本体部内周面の間に形成される円周方向に沿う空間を、緩衝材が充填された接合部と、緩衝材が充填されていない透孔部とに形成し、上記緩衝材はホイール部およびタイヤ本体部に熱融着していることを特徴とする電気掃除機用車輪。
【請求項３】
ホイール部およびタイヤ本体部は、射出成形用の一次成形型により形成された一次成形用キャビティに硬質樹脂が注入されて形成され、カバー部および緩衝材は、二次成形型により形成された二次成形用キャビティに軟質樹脂が注入されて形成されている請求項１または２に記載の電気掃除機用車輸。
【請求項４】
別途成形されたホイール部およびタイヤ本体部が射出成形用金型にインサートされるとともに、この射出成形用金型のキャビティに軟質樹脂が注入されてカバー部および緩衝材が成形されている請求項１または２に記載の電気掃除機用車輪。
【発明の詳細な説明】
【０００１】
【発明の属する技術分野】
本発明は、合成樹脂などにより形成される電気掃除機用車輪に関するものである。
【０００２】
【従来の技術】
従来、電気掃除機用の車輪として、タイヤ部と、このタイヤ部から延設されたホイール部とをポリプロピレン等の合成樹脂で一体に形成したものが知られている。
しかしながら、このような車輪は、クッション性がないため床面を傷つけ易いほか、電気掃除機の騒音対策上問題が大きいものであった。
【０００３】
すなわち、近年、家庭用の電気掃除機においては、吸込み仕事率を向上させるため１ＫＷ程度の強力なモータが使用されているため、このモータの駆動に伴う騒音および振動が増大する傾向がある一方、使用中における掃除機本体の移動や取扱いを容易にするため、掃除機本体の全長を小さくし、その重心ので
きるだけ近傍に従来に比べて直径の大きな車輪を取付けるようにしている。
【０００４】
従って、モータの振動がこの大径の車輪を介して床面に伝搬したり、車輪が床面を走行する際に騒音を生じたりして、電気掃除機の騒音問題に占める車輪の重要性は高いものである。
【０００５】
そのため、タイヤ部を、軟質ポリ塩化ビニル、エチレン−酢酸ビニル共重合体、熱可塑性エラストマーなどの軟質樹脂で形成した車輪が提案されているが、タイヤ部全体を中実の軟質樹脂で形成するため材料の使用量が多くなり、また、その肉厚を厚くすると長期使用により永久変形を生じる問題がある。
【０００６】
また、タイヤ部を中実の軟質発泡体、例えば、発泡したエチレン−酢酸ビニル共重合体等の合成樹脂発泡体で形成することも提案されているが、合成樹脂発泡体も、長期間の使用により永久変形し易く、円滑な走行を損なう問題がある。
【０００７】
さらに、特開平３−２５３４０２号公報に記載されているような、タイヤ部をゴム材料で中空状に形成して、クッション性を高めた車輪も提案されているが、タイヤ部がゴム製であるため、車輪の走行に伴って床面が汚染される問題
があった。
【０００８】
【発明が解決しようとする課題】
従って、本発明の目的は、騒音対策に有効でかつ形状保持性に優れるとともに、走行面を汚染する虞がなく、長期にわたり円滑に走行できる電気掃除機用車輪を提供することにある。
【０００９】
【課題を解決するための手段】
本発明者は、車輪のホイール部とタイヤ本体部とを硬質樹脂で形成するとともに、両者を別体で非連続で形成したうえ軟質樹脂の緩衝材を介して接合一体化すると、両者相互の間で伝わる振動が減衰されることを見出し、本発明を完成した。
【００１０】
すなわち、本発明は、下記の構成を特徴とする電気掃除機用車輪である。
【００１１】
（１）硬質樹脂製のホイール部と、このホイール部の外周にホイール部とは別体に形成された硬質樹脂製のタイヤ本体部とが、タイヤ本体部の表面を覆うカバー部を形成する軟質樹脂製の緩衝材を介して接合一体化された車輪であって、上記緩衝材はホイール部外周面とタイヤ本体部内周面の間に形成される円周方向に沿う全空間に充填され、ホイール部およびタイヤ本体部に熱融着していることを特徴とする電気掃除機用車輪。
【００１２】
（２）硬質樹脂製のホイール部と、このホイール部の外周にホイール部とは別体に形成された硬質樹脂製のタイヤ本体部とが、タイヤ本体部の表面を覆うカバー部を形成する軟質樹脂製の緩衝材を介して接合一体化された車輪であって、ホイール部外周面とタイヤ本体部内周面の間に形成される円周方向に沿う空間を、緩衝材が充填された接合部と、緩衝材が充填されていない透孔部とに形成し、上記緩衝材はホイール部およびタイヤ本体部に熱融着していることを特徴とする電気掃除機用車輪。
【００１３】
（３）ホイール部およびタイヤ本体部は、射出成形用の一次成形型により形成された一次成形用キャビティに硬質樹脂が注入されて形成され、カバー部および緩衝材は、二次成形型により形成された二次成形用キャビティに軟質樹脂が注入されて形成されている（１）または（２）に記載の電気掃除機用車輸。
【００１４】
（４）別途成形されたホイール部およびタイヤ本体部が射出成形用金型にインサートされるとともに、この射出成形用金型のキャビティに軟質樹脂が注入されてカバー部および緩衝材が成形されている（１）または（２）に記載の電気掃除機用車輪。
【００１５】
本発明においては、ホイール部とタイヤ本体部とが連設されず断絶されており、両者間に介在させる緩衝材（カバー部）にて振動を減衰すると同時に接合一体化を図ることができ、かつ、タイヤは硬質樹脂製の本体部と本体部の表面を覆う軟質樹脂製のカバー部とで構成されるので、形状保持性に優れるとともに適度のクッション性を保有する。
【００１６】
【実施例】
以下、添付図面に基づいて、本発明の実施例を説明する。
【００１７】
図１および図２において、電気掃除機用車輪１は、硬質樹脂により形成されたホイール部２と、ホイール部２の外周に若干の間隔をおいて硬質樹脂により別体に形成されたタイヤ本体部３と、タイヤ本体部３の表面を被覆する軟質樹脂により形成されたカバー部４とで構成されている。
【００１８】
カバー部４を形成する軟質樹脂は、ホイール部２の外周面とタイヤ本体部３の内周面の間に形成される円周方向に沿う全空間に充填され、ホイール部２とタイヤ本体部３を形成する硬質樹脂に熱融着して、両者２，３を緩衝材（軟質樹脂）を介して接合一体化する接合部５を形成している。
【００１９】
上記の軟質樹脂と硬質樹脂は、両者の接合一体化を実現するため互いに熱融着可能なポリマーが選択されるが、軟質樹脂としては、緩衝性やクッション性を確保するため、柔軟性に富む樹脂が選択され、例えばオレフィン系エラストマー、スチレン系エラストマー等の熱可塑性エラストマーが例示され、硬質樹脂としては、機械的強度や剛性を確保するため、例えばポリプロピレン、スチレン系ポリマー、ポリカーボネート等が例示されるが、好ましい例としては、ホイール部２およびタイヤ本体部３をポリプロピレンで形成し、カバー部４をオレフィン系エラストマーで形成することができる。
【００２０】
図３および図４は、他の実施例を示し、上記の実施例と異なるところは、カバー部４を形成する軟質樹脂が、ホイール部２の外周面とタイヤ本体部３の内周面の間に形成される円周方向に沿う空間に断続的に充填され、ホイール部２とタイヤ本体部３に熱融着して接合一体化する接合部５と、軟質樹脂が充填されずに空間が元のまま残存する透孔部６とが円周方向に沿って交互に形成されている点である。
【００２１】
この実施例によれば、上記空間に充填する軟質樹脂材料の節約を図ることができ、製造コストを低減できるとともに、透孔部６がこの部分においてホイール部２とタイヤ本体部３とを完全遮断することとなり、ホイール部２とタイヤ本体部３間の双方向におけるへの振動の伝搬をより少なくすることができる。
【００２２】
図５は、図１および図２に記載の電気掃除機用車輪が成形される好適な工程を示すもので、（Ａ）は、コア金型１１とキャビティ金型１２とからなる射出成形用の一次成形金型１０の型締めにより形成された一次成形用キャビティ１５，１６に溶融した硬質樹脂がノズル２０から射出されて、ホイール部２およびタイヤ本体部３が一次成形される状態を示し、（Ｂ）は、一次成形金型１０を型開きした後、コア金型１１とキャビティ金型１３とからなる射出成形用の二次成形金型１４の型締めにより形成された二次成形用キャビティ１７に溶融した軟質樹脂がノズル２０から射出されて、一次成形されたホイール部２およびタイヤ本体部３に熱融着してカバー部が形成される状態を示している。なお、図３および図４に記載の電気掃除機用車輪も上記と同様な工程により成形することができ、二次成形金型において、接合部５と透孔部６が円周方向に沿って交互に形成されるように二次成形用キャビティを構成すればよいものである。
【００２３】
本発明においては、上記の成形方法と異なり、ホイール部２およびタイヤ本体部３を予め成形しておき、これを射出成形用の金型に装入してから溶融した軟質樹脂をキャビティに注入するインサート成形法によっても車輪を形成することができる。
【００２４】
【発明の効果】
本発明の電気掃除機用車輪は、ホイール部とタイヤ本体部とが緩衝材を介して隔絶されているとともに、タイヤの表面のみを軟質樹脂でカバーするようにしたので、振動や騒音の緩和に有効であるほか、形状保持性に優れ、走行面を汚染する虞がなく、長期にわたり円滑に走行できる。
【図面の簡単な説明】
【図１】本発明の一実施例を示す側面断面図。
【図２】本発明の一実施例を示す正面図。
【図３】本発明の他の実施例を示す側面断面図。
【図４】本発明の他の実施例を示す正面図。
【図５】本発明の成形工程を示す説明図。
【符号の説明】
１…電気掃除機用車輪
２…ホイール部
３…タイヤ本体部
４…カバー部
５…接合部
６…透孔部
１０…一次成形用金型
１１…コア金型
１２…キャビティ金型（一次成形用）
１３…キャビティ金型（二次成形用）
１４…二次成形用金型
１５，１６…キャビティ（一次成形用）
１７…キャビティ（二次成形用）
２０…ノズル
【図１】
0003558319.tif 000002
【図２】
0003558319.tif 000003
【図３】
0003558319.tif 000004
【図４】
0003558319.tif 000005
【図５】
0003558319.tif 000006